(57)【特許請求の範囲】
【請求項１】
交換機等に接続され、要求に応じて加入者端末に常時時報メッセージを提供し得る時報メッセージ供給装置における電源の異常に伴う警報を外部へ通知する警報送信方法において、
前記電源を、前記時報メッセージ供給装置における前記時報メッセージの供給動作に必要とされる装置用電源と、外部へ警報を送出するために必要とされる警報用電源とに分け、
前記時報メッセージ供給装置の内部に備える外部警報送信回路を、前記時報メッセージ供給装置とは別に設置されている遠隔保守運用端末または現地保守運用端末からの指示により、前記警報を受信する外部の各警報受信装置のインタフェースに合せて、それぞれの警報送信モードに設定可能とし、
前記装置用電源に異常が生じた場合には、前記警報用電源により給電され、かつ前記遠隔保守運用端末または現地保守運用端末からの指示により警報送信モードが設定された前記外部警報送信回路から、前記警報送信モードに対応する警報受信装置への警報送出を可能とし、
前記警報用電源に異常が生じた場合には、前記警報用電源を監視している警報用電源監視回路からの電源異常情報に基づいて、前記装置用電源によって電話回路を経由して、前記遠隔保守運用端末に自律発信し、前記遠隔保守運用端末にて警報を確認可能とすることを特徴とする時報メッセージ供給装置の電源異常に伴う警報送信方法。
【請求項２】
前記警報送信モードは、前記警報用電源の電圧が前記警報受信装置に警報として送信される電池モード、または前記警報用電源のアース電位の電圧が前記警報受信装置に警報として送信されるアースモード、または前記外部警報送信回路と前記警報受信装置との間にループが形成されるループモードのいずれかであることを特徴とする請求項１に記載の時報メッセージ供給装置の電源異常に伴う警報送信方法。
【請求項３】
交換機等に接続され、要求に応じて加入者端末に常時時報メッセージを提供し得る時報メッセージ供給装置における電源の異常に伴う警報を外部へ通知する警報送信システムにおいて、
前記電源が、前記時報メッセージ供給装置における前記時報メッセージの供給動作に必要とされる装置用電源と、外部へ警報を送出するために必要とされる警報用電源とから成り、
前記時報メッセージ供給装置の内部に備える外部警報送信回路が、前記時報メッセージ供給装置とは別に設置されている遠隔保守運用端末または現地保守運用端末からの指示により、前記警報を受信する外部の各警報受信装置のインタフェースに合せて、それぞれの警報送信モードに設定可能な機能部を有し、
前記装置用電源に異常が生じた場合には、前記警報用電源により給電され、かつ前記遠隔保守運用端末または現地保守運用端末からの指示により警報送信モードが設定された前記外部警報送信回路から、前記警報送信モードに対応する警報受信装置へ警報を送出し、
前記警報用電源に異常が生じた場合には、前記警報用電源を監視している警報用電源監視回路からの電源異常情報に基づいて、前記装置用電源によって電話回路を経由して、前記遠隔保守運用端末に自律発信し、前記遠隔保守運用端末にて警報を確認できるようにすることを特徴とする時報メッセージ供給装置の電源異常に伴う警報送信システム。
【請求項４】
前記警報送信動作モードに設定可能な機能部は、前記装置用電源および前記警報用電源によってそれぞれ附勢され、前記警報受信装置のインタフェースに合ったそれぞれの警報送信モードに設定されるモード選択リレーで構成されることを特徴とする請求項５に記載の時報メッセージ供給装置の電源異常に伴う警報送信システム。
【請求項５】
前記警報送信モードは、前記警報用電源の電圧が前記警報受信装置に警報として送信される電池モード、または前記警報用電源のアース電位の電圧が前記警報受信装置に警報として送信されるアースモード、または前記外部警報送信回路と前記警報受信装置との間にループが形成されるループモードのいずれかであることを特徴とする請求項３または４に記載の時報メッセージ供給装置の電源異常に伴う警報送信システム。
【請求項６】
交換機等に接続され、要求に応じて加入者端末に常時時報メッセージを提供し得る時報メッセージ供給装置において、
前記時報メッセージの供給動作に必要とされる装置用電源と、
外部へ警報を送出するために必要とされる警報用電源と、
前記警報用電源により給電され、かつ外部の遠隔保守運用端末または現地保守運用端末からの指示により、前記警報を受信する外部の各警報受信装置のインタフェースに合せて、それぞれの警報送信モードに設定可能な機能部を有する外部警報送信回路と、
前記警報用電源を監視する警報用電源監視回路とを備え、
前記装置用電源に異常が生じた場合には、前記警報用電源により給電され、かつ前記遠隔保守運用端末または現地保守運用端末からの指示により警報送信モードが設定された前記外部警報送信回路から、前記警報送信モードに対応する警報受信装置へ警報を送出し、
前記警報用電源に異常が生じた場合には、前記警報用電源監視回路からの電源異常情報に基づいて、前記装置用電源によって電話回路を経由して、前記遠隔保守運用端末に自律発信し、前記遠隔保守運用端末にて警報を確認できるようにすることを特徴とする時報メッセージ供給装置。
【請求項７】
前記警報送信動作モードに設定可能な機能部は、前記装置用電源および前記警報用電源によってそれぞれ附勢され、前記警報受信装置のインタフェースに合ったそれぞれの警報送信モードに設定されるモード選択リレーで構成されることを特徴とする請求項６に記載の時報メッセージ供給装置。
【請求項８】
前記警報送信モードは、前記警報用電源の電圧が前記警報受信装置に警報として送信される電池モード、または前記警報用電源のアース電位の電圧が前記警報受信装置に警報として送信されるアースモード、または前記外部警報送信回路と前記警報受信装置との間にループが形成されるループモードのいずれかであることを特徴とする請求項６または７に記載の時報メッセージ供給装置。
【発明の詳細な説明】
【０００１】
【発明の属する技術分野】
本発明は、交換機等に接続され、要求に応じて加入者端末に常時時報メッセージを提供し得る時報メッセージ供給装置における電源の異常に伴なう警報を外部へ通知する警報送信方法及びシステムに関するものである。
【０００２】
【従来の技術】
時報メッセージ供給装置は、それぞれの地域の市外又は市内電話中継交換機に設置され、斯種の時報メッセージ供給装置は一般に、公共放送電波から検出した時報信号に基づいて時報メッセージを形成し、この時報メッセージを交換機に常時供給するようにして、加入者の要求に応じて加入者端末へ時報メッセージを伝送する。このような時報メッセージ供給装置は、時報メッセージを形成するための種々の回路、例えば水晶発振器、公共放送電波からの時報信号検出器、時刻計数回路、時刻信号を時刻メッセージの音声に編集する編集回路、秒音・時報音発生回路等具えており、これらの回路は装置用電源によってそれぞれ作動し、また、装置用電源は、時報メッセージ供給装置のメンテナンス作業を行う保守拠点の保守者に対して、その電源異常に伴なう警報通知を行なうためにも用いられている。前記装置用電源に異常が生じた場合の警報は、それを受信する警報受信装置のインタフェースによってそれぞれ異なる送信モードの警報信号として、時報メッセージ供給装置における警報送信回路から警報受信装置へと送信されている。
【０００３】
図３に示すように、従来の時報メッセージ供給装置１及び1aは、保守者にその装置用電源の異常を警報通知するために、それぞれインタフェースの異なる警報受信装置２及び2aとネットワーク３を介して接続されている。例えば、時報メッセージ供給装置１の電源異常等により警報の送出が必要な場合に、この時報メッセージ供給装置１における警報送信回路（図示せず）は警報受信装置２及び2aに向けて、固有の送信モード（例えば、「アース」モード）で警報信号s1を送信する。この場合に、警報受信装置２は、時報メッセージ供給装置１の警報送信回路から送信された警報信号s1を受信した場合に警報を認識し、また、警報受信装置2aは、時報メッセージ供給装置1aの警報送信回路に固有の送信モード（例えば、「電池」モード）で送信された警報信号s2を受信した場合に警報を認識するように構成されている。従って、時報メッセージ供給装置１における警報送信回路から警報発生時に送出される警報信号s1は、警報受信装置２にて受信されて警報が認識されるのに対し、警報受信装置2aは、時報メッセージ供給装置1aの警報送信回路から送信される警報信号s2の受信時にしか警報を認識することができず、警報受信装置2aは、時報メッセージ供給装置１の警報送信回路から送信される警報信号s1を直接受信することができない。このために警報受信装置2aでも時報メッセージ供給装置１の警報送信回路回路からの警報信号s1を受信できるようにするためには、インタフェース変換装置４にて警報信号s1を警報信号s2に一旦変換しなければ警報信号s1を受信することができなかった。
【０００４】
さらに、時報メッセージ供給装置１及び1aは、これらの装置の警報送信回路への警報用電源と、これらの時報メッセージ供給装置が時報メッセージを形成して供給するのに必要な装置用電源とを共有しているため、これらの時報メッセージ供給装置１及び1aに対し、何らかの要因で電源供給が停止した場合には、これらの時報メッセージ供給装置による時報メッセージの供給そのものが停止するにも拘わらず、時報メッセージ供給装置の異常を警報受信装置２及び2aへ通知することも行えず、保守者に対して時報メッセージ供給装置の装置異常を通知することができなかった。
【０００５】
【発明が解決しようとする課題】
上述したように従来は、時報メッセージ供給装置１又は1aの警報送信回路からネットワーク３を介して警報を警報受信装置２及び2aに送出する場合において、警報受信装置２のインタフェースは「警報信号s1」の受信用に、警報受信装置2aのインタフェースは「警報信号s2」の受信用と、それぞれ相違しているために、時報メッセージ供給装置１における警報送信回路から警報受信装置2aへの警報送信を行うためには、この警報受信装置2aとのインタフェース整合をとるために、インタフェース変換装置４を介して接続する必要があった。また、それぞれの時報メッセージ供給装置１及び1aは、警報受信装置２及び2aに対して警報を送出する警報送信回路への警報用電源と、時報メッセージの形成及び供給に必要な装置用電源を共有しているため、時報メッセージ供給装置１に供給している装置用電源に異常が生じた場合には、この時報メッセージ供給装置の時報メッセージの供給が停止した旨の警報ならびに、給電用電源が異常である旨の警報を保守者に知らせることもできなかった。
【０００６】
そこで、本発明の目的は、時報メッセージ供給装置の電源異常に伴なう警報を外部に確実に送信できる安価な方法及びシステムを提供することにある。
【０００７】
【課題を解決するための手段】
本発明は、交換機等に接続され、要求に応じて加入者端末に常時時報メッセージを提供し得る時報メッセージ供給装置における電源の異常に伴う警報を外部へ通知する警報送信方法において、前記電源を、前記時報メッセージ供給装置における前記時報メッセージの供給動作に必要とされる装置用電源と、外部へ警報を送出するために必要とされる警報用電源とに分け、前記時報メッセージ供給装置の内部に備える外部警報送信回路を、前記時報メッセージ供給装置とは別に設置されている遠隔保守運用端末または現地保守運用端末からの指示により、前記警報を受信する外部の各警報受信装置のインタフェースに合せて、それぞれの警報送信モードに設定可能とし、前記装置用電源に異常が生じた場合には、前記警報用電源により給電され、かつ前記遠隔保守運用端末または現地保守運用端末からの指示により警報送信モードが設定された前記外部警報送信回路から、前記警報送信モードに対応する警報受信装置への警報送出を可能とし、前記警報用電源に異常が生じた場合には、前記警報用電源を監視している警報用電源監視回路からの電源異常情報に基づいて、前記装置用電源によって電話回路を経由して、前記遠隔保守運用端末に自律発信し、前記遠隔保守運用端末にて警報を確認可能とすることを特徴とする。
【０００８】
上述の警報送信方法において、前記警報送信モードは、前記警報用電源の電圧が前記警報受信装置に警報として送信される電池モード、または前記警報用電源のアース電位の電圧が前記警報受信装置に警報として送信されるアースモード、または前記外部警報送信回路と前記警報受信装置との間にループが形成されるループモードのいずれかであることが好ましい。
【０００９】
さらに本発明は、交換機等に接続され、要求に応じて加入者端末に常時時報メッセージを提供し得る時報メッセージ供給装置における電源の異常に伴う警報を外部へ通知する警報送信システムにおいて、前記電源が、前記時報メッセージ供給装置における前記時報メッセージの供給動作に必要とされる装置用電源と、外部へ警報を送出するために必要とされる警報用電源とから成り、前記時報メッセージ供給装置の内部に備える外部警報送信回路が、前記時報メッセージ供給装置とは別に設置されている遠隔保守運用端末または現地保守運用端末からの指示により、前記警報を受信する外部の各警報受信装置のインタフェースに合せて、それぞれの警報送信モードに設定可能な機能部を有し、前記装置用電源に異常が生じた場合には、前記警報用電源により給電され、かつ前記遠隔保守運用端末または現地保守運用端末からの指示により警報送信モードが設定された前記外部警報送信回路から、前記警報送信モードに対応する警報受信装置へ警報を送出し、前記警報用電源に異常が生じた場合には、前記警報用電源を監視している警報用電源監視回路からの電源異常情報に基づいて、前記装置用電源によって電話回路を経由して、前記遠隔保守運用端末に自律発信し、前記遠隔保守運用端末にて警報を確認できるようにすることを特徴とする。
【００１０】
上述の警報送信システムにおいて、前記警報送信動作モードに設定可能な機能部は、前記装置用電源および前記警報用電源によってそれぞれ附勢され、前記警報受信装置のインタフェースに合ったそれぞれの警報送信モードに設定されるモード選択リレーで構成されることが好ましい。
【００１１】
さらに上述の警報送信システムにおいて、前記警報送信モードは、前記警報用電源の電圧が前記警報受信装置に警報として送信される電池モード、または前記警報用電源のアース電位の電圧が前記警報受信装置に警報として送信されるアースモード、または前記外部警報送信回路と前記警報受信装置との間にループが形成されるループモードのいずれかであることが好ましい。
【００１２】
さらに本発明は、交換機等に接続され、要求に応じて加入者端末に常時時報メッセージを提供し得る時報メッセージ供給装置において、前記時報メッセージの供給動作に必要とされる装置用電源と、外部へ警報を送出するために必要とされる警報用電源と、
前記警報用電源により給電され、かつ外部の遠隔保守運用端末または現地保守運用端末からの指示により、前記警報を受信する外部の各警報受信装置のインタフェースに合せて、それぞれの警報送信モードに設定可能な機能部を有する外部警報送信回路と、前記警報用電源を監視する警報用電源監視回路とを備え、前記装置用電源に異常が生じた場合には、前記警報用電源により給電され、かつ前記遠隔保守運用端末または現地保守運用端末からの指示により警報送信モードが設定された前記外部警報送信回路から、前記警報送信モードに対応する警報受信装置へ警報を送出し、前記警報用電源に異常が生じた場合には、前記警報用電源監視回路からの電源異常情報に基づいて、前記装置用電源によって電話回路を経由して、前記遠隔保守運用端末に自律発信し、前記遠隔保守運用端末にて警報を確認できるようにすることを特徴とする。
【００１３】
上述の時報メッセージ供給装置において、前記警報送信動作モードに設定可能な機能部は、前記装置用電源および前記警報用電源によってそれぞれ附勢され、前記警報受信装置のインタフェースに合ったそれぞれの警報送信モードに設定されるモード選択リレーで構成されることが好ましい。
【００１４】
さらに上述の時報メッセージ供給装置において、前記警報送信モードは、前記警報用電源の電圧が前記警報受信装置に警報として送信される電池モード、または前記警報用電源のアース電位の電圧が前記警報受信装置に警報として送信されるアースモード、または前記外部警報送信回路と前記警報受信装置との間にループが形成されるループモードのいずれかであることが好ましい。
【００１５】
【発明の実施の形態】
本発明をより詳細に説述するために、添付の図面に従ってこれを説明する。
【００１６】
図１は本発明による時報メッセージ供給装置における電源の異常に伴なう警報送信システムの一実施例を示すブロック図である。この送信システムでは、時報メッセージ供給装置１０からネットワークを介して警報受信装置１１に対して警報を送信させる手段として、予め警報受信装置１１のインタフェースに合わせるために、遠隔保守運用端末１７からの指示により電話網を経て電話回路１５を介して設定されるか、もしくは現地保守運用端末１８からの操作により設定される装置制御回路１４の制御下にて送信モードが制御されて、警報受信装置１１のインタフェースに合った警報を警報受信装置１１に送信する外部警報送信回路１６を具えている。本発明ではこのような外部警報送信回路１６を用いることにより、従来必要とされていたインタフェース変換装置４（図３参照）への接続が不要となる。なお、時報メッセージ供給装置１０は、時報メッセージを形成して供給するための種々の回路、例えば水晶発振器、公共放送電波からの時報信号検出器、時刻計数回路、時刻信号を時刻メッセージの音声に編集する回路、秒音・時報音発生回路等も具えているが、これらは本発明の要部ではないために図示してない。
【００１７】
時報メッセージ供給装置１０の電源は、外部警報送信回路１６へ給電する警報用電源１３と、前記電話回路や、装置制御回路１４及び時報メッセージを形成して供給するための前述したような種々の回路にも給電するための装置用電源１４とに分割され、仮に警報用電源１３に異常が生じても、装置用電源１２によって電話回路１５を介して遠隔保守運用端末１７に自律発信し、保守者が遠隔保守運用端末１７に表示される警報を確認して、警報用電源１３の異常に早期に対処することができる。一方の装置用電源１２に異常があった場合においても、警報用電源１３より供給している外部警報送信回路１６より、警報受信装置１１に警報通知が可能となり、警報受信装置１１が受信した警報を保守者が認識することで、従来技術のように、警報が保守者に通知されなくなるようなことがなくなり、装置用電源１２の異常に早期に対処することができる。
【００１８】
次ぎに、装置用電源１２の監視について外部警報送信回路１６の接続構成を示している図２を用いて説明する。
【００１９】
時報メッセージ供給装置１０に供給している装置用電源１２の異常は、−４８Ｖ監視リレー２０によって監視されている。装置用電源１２の正常時には、この装置用電源１２より供給される電圧により、−４８Ｖ監視リレー２０が動作しており、−４８Ｖ監視リレー接点２２がブレイク状態にあるため、警報受信装置１１に対して、警報送出は行われないが、装置用電源１２に異常が生じた場合には、−４８Ｖ監視リレー２０が動作しなくなり、−４８監視リレー接点２２がメーク状態となるために、警報受信装置１１に対し警報が送出されるようになる。なお、図では示してないが、−４８Ｖ監視リレー接点２２は−４８Ｖ監視リレー２０に接続されている。
【００２０】
次に、警報受信装置１１に警報送出を可能とするための外部警報送信回路１６の動作について、同じく図２を参照して説明する。
【００２１】
先ず、外部警報送信回路１６による警報送信モードを、例えば「電池」モードとする場合について説明する。この場合には、外部警報送信回路１６の第１のモード 選択（「電池」＆「アース」モード選択）リレー１９を遠隔保守運用端末１７（図１参照）の指示により設定した装置制御回路１４の制御のもとでメーク保持状態とすると共に、第２のモード 選択（「ループ」モード選択）リレー２３を同じく遠隔保守運用端末１７（図１）の指示により設定した装置制御回路１４の制御のもとでブレイク保持状態とし、警報用電源１３からの電圧が、第１のモード 選択リレー１９のメーク接点、第２のモード選択リレー２３のブレイク接点を介し、警報受信装置１１に警報として送信される。
【００２２】
次に、外部警報送信回路１６による警報送信モードを、例えば「アース」モード とする場合について説明する。この場合には、外部警報送信回路１６の第１のモード 選択リレー１９を遠隔保守運用端末１７の指示により設定した装置制御回路１４の制御のもとでブレイク保持状態とし、第２のモード選択リレー２３を同じく遠隔保守運用端末１７の指示により設定した装置制御回路１４の制御のもとでブレイク保持状態とした状態で、アース２１からのアース電位の電圧が、第１のモード選択リレー１９のブレイク接点、第２のモード選択リレー２３のブレイク接点を介し、警報受信装置１１に警報として送信される。
【００２３】
次に、外部警報送信回路による警報送信モードを、例えば「ループ」モード とする場合について説明する。この場合には、外部警報送信回路１６は第１のモード 選択リレー１９に依存せず、第２のモード選択リレー２３を装置制御回路１４の指示によりメーク保持状態とし、警報受信装置１１と外部警報送信回路１６との間にループが形成されることにより、このループ形成が警報受信装置１１に警報として送信される。
【００２４】
以上、装置用電源１２に異常が生じた場合に警報受信装置１１への警報の送信態様につき説明したが、次ぎに、警報用電源１３の監視について外部警報送信回路１６の接続構成を図２及び図３を用いて説明する。
【００２５】
警報用電源１３に異常が生じた場合には、外部警報送信回路１６の第１のモード選択リレー１９が電源異常を認識する。この場合には、警報用電源１３が異常のため、この電源１３によって動作していた第２のモード選択リレー２３及び、第１のモード選択リレー１９が動作できなくなり、警報用電源１３異常時の通知を、警報受信装置１１に対して行えなくなる。しかし、装置制御回路１４が、警報用電源１３の監視を行っている警報用電源監視９（図１参照）からの電源異常情報を受けて、その電源異常を認識すると、電話回路１５を経由し、遠隔保運用端末１７に対して通知を行うため、保守者に対しては警報用電源が異常である旨の通知を行うことが可能である。
【００２６】
【発明の効果】
時報メッセージ供給装置の電源を装置用電源と、警報用電源とに分離することにより、装置用電源に異常があっても、警報用電源を用いて警報受信装置に警報送信が行えるため、確実な警報伝達が可能である。外部警報送信回路の警報信号送信モードの選択機能は、遠隔保守運用端末等により警報受信装置の複数のインタフェースに対応させることができることにより、インタフェース変換装置が不要となることから、従来方式に比較し安価な設備構築ができる。
【図面の簡単な説明】
【図１】  本発明による時報メッセージ供給装置の電源異常に伴なう警報送信システムの一例を示すブロック図である。
【図２】  本発明による時報メッセージ供給装置における外部警報送出回路の構成図である。
【図３】  従来の時報メッセージ供給装置の電源異常に伴なう警報送信システムを示すブロック図である。
【符号の説明】
１,１ａ  時報メッセージ供給装置
２，２ａ  警報受信装置
３  ネットワーク
４  インタフェース変換装置
９  警報用電源監視回路
１０  時報メッセージ供給装置
１１  警報受信装置
１２  装置用電源
１３  警報用電源
１４  装置制御回路
１５  電話回路
１６  外部警報送信回路
１７  遠隔保守運用端末
１８  現地保守運用端末
１９  第1モード（「電池」＆「アース」モード）選択リレー
２０  −４８Ｖ監視リレー
２１  アース
２２  −４８Ｖ監視リレー接点
２３  第２モード（「ループ」モード）選択リレー
【図１】
0003842601.tif 000002
【図２】
0003842601.tif 000003
【図３】
0003842601.tif 000004